(57)【要約】【課題】  帯端末側で所望の番組開始を簡単に報知できるようにすることを課題とする。【解決手段】  携帯電話１において、テレビ局で放映される日時、番組タイトル、放映チャンネルを含む番組情報を受信してスケジューラ１４に記憶しておき、番組情報から入力キーワードを含む番組情報を検索し、その検索で得られた番組情報の放映される日時よりも前にスケジュール登録しておき、カレンダ処理にしたがってスケジュール登録された日時よりも前に報知することができる。【選択図】  図１
2005333404.tif 000002
【特許請求の範囲】
【請求項１】
無線機能を有する携帯端末であって、
年月日および時間のカレンダ処理を行うカレンダ処理手段と、
テレビ局で放映される日時、番組タイトル、放映チャンネルを含む番組情報を受信する受信手段と、
前記受信手段で受信した番組情報を記憶する番組記憶手段と、
前記番組記憶手段に記憶された番組情報から入力キーワードを含む番組情報を検索する検索手段と、
前記検索手段で得られた番組情報の放映される日時よりも前にスケジュール登録するスケジュール登録手段と、
前記カレンダ処理手段のカレンダ処理にしたがって前記スケジュール登録手段でスケジュール登録された日時よりも前に報知する報知手段と、
を備えたことを特徴とする携帯端末。
【請求項２】
前記スケジュール登録手段は、ユーザの操作に応答してスケジュール登録を行うことを特徴とする請求項１に記載の携帯端末。
【請求項３】
前記報知手段は、音を用いて報知を行うことを特徴とする請求項１または２に記載の携帯端末。
【請求項４】
前記報知手段は、振動を用いて報知を行うことを特徴とする請求項１または２に記載の携帯端末。
【請求項５】
前記受信手段は、外部のサーバにアクセスして番組情報を受信することを特徴とする請求項１〜４のいずれか１つに記載の携帯端末。
【請求項６】
無線機能を有する携帯端末側の番組開始通知方法であって、
年月日および時間のカレンダ処理を行う第１ステップと、
テレビ局で放映される日時、番組タイトル、放映チャンネルを含む番組情報を受信する第２ステップと、
前記第２ステップで受信した番組情報をメモリに記憶する第３ステップと、
前記第３ステップで記憶された番組情報から入力キーワードを含む番組情報を検索する第４ステップと、
前記第４ステップで得られた番組情報の放映される日時よりも前にスケジュール登録する第５ステップと、
前記第１ステップのカレンダ処理にしたがって前記第５ステップでスケジュール登録された日時よりも前に報知する第６ステップと、
を含んだことを特徴とする番組開始通知方法。
【請求項７】
前記第５ステップは、ユーザの操作に応答してスケジュール登録を行うことを特徴とする請求項６に記載の番組開始通知方法。
【請求項８】
前記第６ステップは、音を用いて報知を行うことを特徴とする請求項６または７に記載の番組開始通知方法。
【請求項９】
前記第６ステップは、振動を用いて報知を行うことを特徴とする請求項６または７に記載の番組開始通知方法。
【請求項１０】
前記第２ステップは、外部のサーバにアクセスして番組情報を受信することを特徴とする請求項６〜９のいずれか１つに記載の番組開始通知方法。
【請求項１１】
無線機能を有する携帯端末のコンピュータにより実行可能な番組開始通知プログラムであって、
前記コンピュータに、
年月日および時間のカレンダ処理を行う第１ステップと、
テレビ局で放映される日時、番組タイトル、放映チャンネルを含む番組情報を受信する第２ステップと、
前記第２ステップで受信した番組情報をメモリに記憶する第３ステップと、
前記第３ステップで記憶された番組情報から入力キーワードを含む番組情報を検索する第４ステップと、
前記第４ステップで得られた番組情報の放映される日時よりも前にスケジュール登録する第５ステップと、
前記第１ステップのカレンダ処理にしたがって前記第５ステップでスケジュール登録された日時よりも前に報知する第６ステップと、
を実行させることを特徴とする番組開始通知プログラム。
【請求項１２】
前記第５ステップは、ユーザの操作に応答してスケジュール登録を行うことを特徴とする請求項１１に記載の番組開始通知プログラム。
【請求項１３】
前記第６ステップは、音を用いて報知を行うことを特徴とする請求項１１または１２に記載の番組開始通知プログラム。
【請求項１４】
前記第６ステップは、振動を用いて報知を行うことを特徴とする請求項１１または１２に記載の番組開始通知プログラム。
【請求項１５】
前記第２ステップは、外部のサーバにアクセスして番組情報を受信することを特徴とする請求項１１〜１４のいずれか１つに記載の番組開始通知プログラム。
【発明の詳細な説明】
【技術分野】
【０００１】
本発明は、たとえば、携帯端末、番組開始通知方法および番組通知プログラムに関するものである。
【背景技術】
【０００２】
データベース検索の一種として、テレビ番組のキーワード検索はすでに存在する（特許文献１）。また、今日、番組表は電子番組表（ＥＰＧ）として無線通信端末に提供することが可能となり、これによって外出先でも所望の番組情報を見つけ出すことが可能である（特許文献２）。
【０００３】
ユーザにおいては、必ずしも今番組情報を得ることが重要ではなく、テレビ番組の開始を知らせて欲しいというニーズもある。そこで、最近、無線携帯端末においてあらかじめ番組を登録しておくことで、メール配信端末より登録済みの番組開始をメールにて通知するシステムが提案されている（特許文献３）。
【０００４】
【特許文献１】特開平１０−２１５４１９号
【特許文献２】国際公開番号ＷＯ０１／０１９００２号
【特許文献３】特開２００２−１０８７７６号
【発明の開示】
【発明が解決しようとする課題】
【０００５】
上述した従来システム（特許文献３）のようにメールで番組の開始を知らせる場合には、電波の届く環境では有効に機能するが、地下や電波の届きにくい環境下では、メールの受信タイミングを逃した場合には、テレビ番組を見逃してしまうという危惧があった。さらに、ユーザに対してメール送信によって通知を行うため、サーバ側で登録ユーザすべてに対する通知管理が必要となり、サーバ側で膨大な処理負担を負うという問題があった。
【０００６】
本発明の目的は、携帯端末側で所望の番組開始を簡単に報知することが可能な携帯端末、番組開始通知方法および番組通知プログラムを提供する点にある。
【課題を解決するための手段】
【０００７】
上述した課題を解決し、上記目的を達成するため、請求項１の発明に係る携帯端末は、無線機能を有する携帯端末であって、年月日および時間のカレンダ処理を行うカレンダ処理手段と、テレビ局で放映される日時、番組タイトル、放映チャンネルを含む番組情報を受信する受信手段と、前記受信手段で受信した番組情報を記憶する番組記憶手段と、前記番組記憶手段に記憶された番組情報から入力キーワードを含む番組情報を検索する検索手段と、前記検索手段で得られた番組情報の放映される日時よりも前にスケジュール登録するスケジュール登録手段と、前記カレンダ処理手段のカレンダ処理にしたがって前記スケジュール登録手段でスケジュール登録された日時よりも前に報知する報知手段と、を備えたことを特徴とするものである。
【０００８】
請求項２の発明は、請求項１において、前記スケジュール登録手段は、ユーザの操作に応答してスケジュール登録を行えるようにしてもよい。
【０００９】
請求項３の発明は、請求項１または２において、前記報知手段は、音を用いて報知を行えるようにしてもよい。
【００１０】
請求項４の発明は、請求項１または２において、前記報知手段は、振動を用いて報知を行えるようにしてもよい。
【００１１】
請求項５の発明は、請求項１〜４のいずれか１つにおいて、前記受信手段は、外部のサーバにアクセスして番組情報を受信するようしてもよい。
【００１２】
また、請求項６の発明に係る番組開始通知方法は、無線機能を有する携帯端末側の番組開始通知方法であって、年月日および時間のカレンダ処理を行う第１ステップと、テレビ局で放映される日時、番組タイトル、放映チャンネルを含む番組情報を受信する第２ステップと、前記第２ステップで受信した番組情報をメモリに記憶する第３ステップと、前記第３ステップで記憶された番組情報から入力キーワードを含む番組情報を検索する第４ステップと、前記第４ステップで得られた番組情報の放映される日時よりも前にスケジュール登録する第５ステップと、前記第１ステップのカレンダ処理にしたがって前記第５ステップでスケジュール登録された日時よりも前に報知する第６ステップと、を含んだことを特徴とするものである。
【００１３】
請求項７の発明は、請求項６において、前記第５ステップは、ユーザの操作に応答してスケジュール登録を行えるようにしてもよい。
【００１４】
請求項８の発明は、請求項６または７において、前記第６ステップは、音を用いて報知を行えるようにしてもよい。
【００１５】
請求項９の発明は、請求項６または７において、前記第６ステップは、振動を用いて報知を行えるようにしてもよい。
【００１６】
請求項１０の発明は、請求項６〜９のいずれか１つにおいて、前記第２ステップは、外部のサーバにアクセスして番組情報を受信するようにしてもよい。
【００１７】
また、請求項１１の発明に係る番組開始通知プログラムは、無線機能を有する携帯端末のコンピュータにより実行可能な番組開始通知プログラムであって、前記コンピュータに、年月日および時間のカレンダ処理を行う第１ステップと、テレビ局で放映される日時、番組タイトル、放映チャンネルを含む番組情報を受信する第２ステップと、前記第２ステップで受信した番組情報をメモリに記憶する第３ステップと、前記第３ステップで記憶された番組情報から入力キーワードを含む番組情報を検索する第４ステップと、前記第４ステップで得られた番組情報の放映される日時よりも前にスケジュール登録する第５ステップと、前記第１ステップのカレンダ処理にしたがって前記第５ステップでスケジュール登録された日時よりも前に報知する第６ステップと、を実行させることを特徴とするものである。
【００１８】
請求項１２の発明は、請求項１１において、前記第５ステップは、ユーザの操作に応答してスケジュール登録を行えるようにしてもよい。
【００１９】
請求項１３の発明は、請求項１１または１２において、前記第６ステップは、音を用いて報知を行えるようにしてもよい。
【００２０】
請求項１４の発明は、請求項１１または１２において、前記第６ステップは、振動を用いて報知を行えるようにしてもよい。
【００２１】
請求項１５の発明は、請求項１１〜１４のいずれか１つにおいて、前記第２ステップは、外部のサーバにアクセスして番組情報を受信するようにしてもよい。
【発明の効果】
【００２２】
本発明によれば、帯端末側で所望の番組開始を簡単に報知することが可能な携帯端末、番組開始通知方法および番組通知プログラムを提供できるという効果を奏する。
【発明を実施するための最良の形態】
【００２３】
以下、添付図面を参照して本発明に係る一実施の形態を詳述する。図1は本実施の形態によるネットワークシステムの一例を示す図、図２は本実施の形態によるサーバの一構成例を示すブロック図、図３および図４はサーバに記憶される情報を説明する図、図５は本実施の形態による携帯電話の一構成例を示すブロック図、そして、図６は本実施の形態による携帯電話に記憶される情報を説明する図である。
【００２４】
図１において、１は携帯電話、２はサーバ、３は放送局制御装置、４はインターネット、５は基地局、６は移動体通信網を示す。インターネット４には、移動体通信網６、サーバ２、放送局制御装置３が接続され、相互に通信可能である。携帯電話１は、移動体通信網６に接続される基地局５を介してインターネット４に接続可能である。携帯電話1は、ネットワークを介してサーバ２に接続し、テレビ番組の番組開始事前通知を要求することができる。７はテレビ装置である。
【００２５】
放送局制御装置３は、図示せぬがたとえばＥＰＧ（電子番組表）によるスケジュールデータベース（ＤＢ）３１を備えている。
【００２６】
携帯電話１は、たとえばサーバ２との間でＷＥＢ閲覧をすることが可能であり、サーバ２より提供されるページを表示するディスプレイ１１、たとえばディスプレイ１１に表示されるページに対する入力操作を行うためのキー群１２、たとえばサーバ２より提供されるページを表示するブラウザアプリ１３、テレビ装置に対して操作コマンドとなる赤外線を送出する赤外線送出部１４などを備えている。
【００２７】
サーバ２は、たとえば図１に示したように、ＷＥＢアプリケーション２１、マスタ情報記憶部２２、ユーザ情報記憶部２３などを備えている。マスタ情報記憶部２２には、サーバ２にたとえばＥＰＧの一部のデータが取り込まれることで、格納情報として、年月日および曜日、放送時間、番組内容、番組に関するキーワードが対応付けて記憶される。図３の例では、番組としてドラマ「あいうえお／１０ｃｈ」、放映年月日および曜日として２００４年4月１日（木）、放映時間として１６：００−１７：００、番組に関するキーワードとして「着信メロディ」と「渋谷」が対応付けて記憶されている。
【００２８】
ユーザ情報記憶部２３は、ユーザに対応させて携帯電話を特定するユーザ識別情報およびユーザの連絡先情報を記憶する。具体的には、図４に示したように、ユーザを特定するユーザＩＤに対応させてその氏名、電話番号、メールアドレス、その他（住所、口座番号など）が記憶される。図４の例では、ユーザＩＤに対して、氏名“たろう”が対応付けられ、さらに電話番号として０９０−１１１１−２２２２、メールアドレスとしてｔａｒｏ＠ａａａ．ｃｏ．ｊｐが対応付けられている。
【００２９】
本実施の形態では、携帯電話において、テレビ局で放映される日時、番組タイトル、放映チャンネルを含む番組情報を受信してスケジューラ１４に記憶しておき、番組情報から入力キーワードを含む番組情報を検索し、その検索で得られた番組情報の放映される日時よりも前にスケジュール登録しておき、カレンダ処理にしたがってスケジュール登録された日時よりも前に報知することができる。
【００３０】
つぎに、携帯電話1の構成について説明する。携帯電話１の例としての構成を、図５に、より詳細に示す。内部システムバス１０９に、通信処理部１０２、サウンド処理部１０５、ＣＰＵ１０６、ＲＯＭ１０７、ＲＡＭ１０８、ディスプレイ１１、キー群１２、赤外線送出部１４などを接続させ、データ、アドレス信号、制御信号などを伝送させることで各種の処理を実現する構成である。
【００３１】
通信処理部１０２は、アンテナ１０１に接続され、アンテナ１０１を介して移動体通信網６と通信を行うものである。この通信処理部１０２により、音声通話やサーバ２との通信を実現することができる。サウンド処理部１０５は、音声出力のためのスピーカ１０３、音声入力のためのマイク１０４をそれぞれ接続させており、受話時や送話時の音声処理を行うものである。
【００３２】
ＣＰＵ１０６は、携帯電話１全体の制御をＲＯＭ１０７に格納されたＯＳにしたがって行うものである。ＲＯＭ１０７は、あらかじめインストールされているＯＳなどのプログラムを格納している。ＣＰＵ１０６は、携帯用の各種アプリケーション（たとえばＪＡＶＡ（登録商標）アプリケーション）により本実施の形態による処理などを制御する。また、このＣＰＵ１０６は、キー群１２からの入力を受け付けて各種の処理を実行させたり、各種の処理に応じてディスプレイ１１への表示を制御したりする。
【００３３】
ＲＡＭ１０８は、本実施の形態による通信を実現するためのブラウザアプリ１３のほか、スケジューラ１４、メーラーアプリ１６、着信メロディなどのコンテンツや各種データを格納するワークエリア１７等を備えている。キー群１２は、電話番号、アドレスなどの入力を行ったり、後述するサービス選択実行時の入力を行ったりするための各種キーを備えている。ディスプレイ１１は、撮像画像を表示したり、操作用の案内画面を表示したり、電話やメールの機能を使うときの一般的な表示画面を表示したりするものである。
【００３４】
スケジューラ１４には、データとしてたとえば図６に示したように、年月日および曜日、放送時間、番組情報、番組に関するキーワードが対応付けて記憶される。図６の例では、番組としてドラマ「あいうえお／１０ｃｈ」、放映年月日および曜日として２００４年4月１日（木）、放映時間として１６：００−１７：００、番組に関するキーワードとして「着信メロディ」と「渋谷」が対応付けて記憶されている。また、番組としてドラマ「ａｂｃ／８ｃｈ」、放映年月日および曜日として２００４年4月１０日（土）、放映時間として２１：００−２３：００、番組に関するキーワードとして「着信メロディ」と「渋谷」が対応付けて記憶されている。これは、キーワードとして、ユーザが「着信メロディ」と「渋谷」を含む番組をサーチした結果を示している。
【００３５】
つぎに、図７、図８、図９、図１０および図１１を用いて動作について説明する。図７は本実施の形態による画面遷移の一例を説明する図、図８は本実施の形態による放送局制御装置とサーバ間の処理について説明するフローチャート、図９は本実施の形態による携帯端末とサーバ間の処理を説明するフローチャート、図１０は本実施の形態による番組検索手順を説明するフローチャート、そして、図１１は本実施の形態によるスケジューラ基づく事前通知を説明するフローチャートである。
【００３６】
まず、放送局制御装置３とサーバ２間では、サーバ２より放送局制御装置３に対して番組表の要求がなされ（ＳＶ１）、その要求に対して放送局制御装置３では更新の有無が確認される（ＢＳ１）。更新部分は、放送局制御装置３からサーバ２に対して送信され（ＢＳ２）、サーバ２において番組表が受信されると、マスタ情報記憶部２２に更新登録が行われる（ＳＶ２）。
【００３７】
つづいて、携帯電話１よりサーバ２にアクセスがなされると（ＭＢ１）、サーバ２ではそのアクセスに応じてユーザの確認が行われる（ＳＶ１１）。このとき、携帯電話よりユーザＩＤが送られると、ユーザ情報記憶部２３によりユーザの確認が可能となる。未登録のユーザであれば、らたに会員登録するようにしてもよい。
【００３８】
ユーザの機種に応じて合致したＷＥＢページが生成されると、携帯電話１に送信される（ＳＶ１２）。携帯電話１では、ＷＥＢページが受信されると、そのページがディスプレイ１１に表示される（ＭＢ２）。その後、携帯電話１からサーバ２に対して番組表を要求することができる。この場合、携帯電話１では、入力操作を行うことで（ＭＢ３）、番組表がサーバ２に対して要求される（ＭＢ５）。サーバ２では、携帯電話１から番組表の要求が入ると、その要求を受け付けて更新部分が確認される（ＳＶ１３）。そして、更新部分が携帯電話１に対して送信される（ＳＶ１４）。携帯電話１では、サーバ２から送信されてきた番組表が受信されると、その番組表がスケジューラ１４に更新登録される（ＭＢ６）。
【００３９】
ユーザは、見たいテレビ番組があると、携帯電話１に対して放送前に事前通知をしてもらうための設定が必要となる。この場合、まずスケジューラ１４が起動され（ＭＢ１１）、たとえば図７（Ａ）のように、番組検索画面が表示される。具体的には、ジャンルの選択を行うための画面が表示される。そして、ユーザの操作により、ドラマ、スポーツ、ニュースなどからたとえばドア間のジャンル指定欄ＢＴ１が選択され、決定ボタンＢＴ３が操作されると（ＭＢ１２）、今度はたとえば図７（Ｂ）のように、キーワード入力画面が表示される。ここでは、キーワード入力欄ＫＷにキー群の操作でキーワードが入力される（ＭＢ１３）。
【００４０】
キーワードが入力され、決定ボタンＢＴ３が操作されると、その入力キーワードに基づいてスケジューラ１４の番組表が検索される（ＭＢ１４）。１つ以上のヒットがあるまでは（ＭＢ１５のＮＯルート）、キーワードの入力から処理は再実行される。１つ以上のヒットがあった場合には（ＭＢ１５のＹＥＳルート）、たとえば図７（C）のように、アラーム設定画面が表示され、登録指示が待たれる（MB１６）。
【００４１】
たとえば５分前に鳴らすように設定した場合には、さらに登録ボタンＢＴ４の操作によりスケジューラ１４に対して登録処理が実行される（ＭＢ１７）。
【００４２】
以降はカレンダ処理（ＭＢ２１）により日時が算出され、その結果がスケジューラ１４のアラーム設定（５分間の設定では、放送開始より５分前に登録される）の日時と比較される（ＭＢ２２）。その結果、合致が得られた場合には（ＭＢ２３のＹＥＳルート）、合致したアラーム設定対象の番組情報がスケジューラ１４から読み出され（ＭＢ２４）、ディスプレイ１１に表示されるとともに、アラームが起動される（ＭＢ２５）。
【００４３】
以上説明したように、本実施の形態によれば、帯端末側で所望の番組開始を簡単に報知することが可能である。
【産業上の利用可能性】
【００４４】
本発明は、携帯端末、番組開始通知方法および番組通知プログラムを製造する産業で利用される。
【図面の簡単な説明】
【００４５】
【図１】本実施の形態によるネットワークシステムの一例を示す図である。
【図２】本実施の形態によるサーバの一構成例を示すブロック図である。
【図３】サーバに記憶される情報を説明する図である。
【図４】サーバに記憶される情報を説明する図である。
【図５】本実施の形態による携帯電話の一構成例を示すブロック図である。
【図６】携帯電話に記憶される情報を説明する図である。
【図７】本実施の形態による画面遷移の一例を説明する図である。
【図８】本実施の形態による放送局制御装置とサーバ間の処理について説明するフローチャートである。
【図９】本実施の形態による携帯電話とサーバ間の処理について説明するフローチャートである。
【図１０】本実施の形態による携帯電話の動作について説明するフローチャートである。
【図１１】本実施の形態による携帯電話の動作について説明するフローチャートである。
【符号の説明】
【００４６】
１  携帯電話
２  サーバ
３  放送局制御装置
２２  マスタ情報記憶部
２３  ユーザ情報記憶部
３１  スケジュールＤＢ
【図１】
2005333404.tif 000003
【図２】
2005333404.tif 000004
【図３】
2005333404.tif 000005
【図４】
2005333404.tif 000006
【図５】
2005333404.tif 000007
【図６】
2005333404.tif 000008
【図７】
2005333404.tif 000009
【図８】
2005333404.tif 000010
【図９】
2005333404.tif 000011
【図１０】
2005333404.tif 000012
【図１１】
2005333404.tif 000013
【手続補正書】
【提出日】平成17年3月15日(2005.3.15)
【手続補正１】
【補正対象書類名】特許請求の範囲
【補正対象項目名】全文
【補正方法】変更
【補正の内容】
【特許請求の範囲】
【請求項１】
無線機能を有し、テレビ局で放映される日時、番組タイトル、放映チャンネルを含む番組情報およびキーワードを記憶するサーバとの間で通信可能な携帯端末であって、
年月日および時間のカレンダ処理を行うカレンダ処理手段と、
年月日、アラーム設定時間、放映時間、番組情報およびキーワードを対応付けて記憶するスケジューラと、
ユーザの操作に応答して前記サーバにアクセスし、前記サーバに記憶されるテレビ局で放映される日時、番組タイトル、放映チャンネルを含む番組情報およびキーワードを受信する受信手段と、
前記受信手段で受信した番組情報およびキーワードを前記スケジューラに組み込んで更新登録する更新登録手段と、
ユーザの操作に応答して、キーワードの入力を受け付ける受け付け手段と、
前記スケジューラに更新登録されたキーワードから前記受け付け手段の入力キーワードを含む１以上の番組情報を検索する検索手段と、
前記スケジューラに対して、前記検索手段で得られた１以上の番組情報の放映される日時よりも前にアラーム時間を設定するアラーム登録手段と、
前記カレンダ処理手段のカレンダ処理にしたがって前記アラーム登録手段でアラーム登録された日時に報知する報知手段と、
を備えたことを特徴とする携帯端末。
【請求項２】
前記報知手段は、音を用いて報知を行うことを特徴とする請求項１に記載の携帯端末。
【請求項３】
前記報知手段は、振動を用いて報知を行うことを特徴とする請求項１に記載の携帯端末。
【請求項４】
無線機能を有し、テレビ局で放映される日時、番組タイトル、放映チャンネルを含む番組情報およびキーワードを記憶するサーバとの間で通信可能な携帯端末のコンピュータにより実行可能な番組開始通知方法であって、
前記コンピュータに、
年月日および時間のカレンダ処理を行う第１ステップと、
ユーザの操作に応答して前記サーバにアクセスし、前記サーバに記憶されるテレビ局で放映される日時、番組タイトル、放映チャンネルを含む番組情報およびキーワードを受信する第２ステップと、
年月日、アラーム設定時間、放映時間、番組情報およびキーワードを対応付けてスケジューラに記憶しており、前記第２ステップで受信した番組情報およびキーワードを前記スケジューラに組み込んで更新登録する第３ステップと、
ユーザの操作に応答して、キーワードの入力を受け付ける第４ステップと、
前記第３ステップで更新登録されたキーワードから入力キーワードを含む１以上の番組情報を検索する第５ステップと、
前記スケジューラに対して、前記第５ステップで得られた１以上の番組情報の放映される日時よりも前にアラーム時間を設定する第６ステップと、
前記第１ステップのカレンダ処理にしたがって前記第６ステップでアラーム登録された日時に報知する第７ステップと、
を含んだことを特徴とする番組開始通知方法。
【請求項５】
無線機能を有し、テレビ局で放映される日時、番組タイトル、放映チャンネルを含む番組情報およびキーワードを記憶するサーバとの間で通信可能な携帯端末のコンピュータにより実行可能な番組開始通知プログラムであって、
前記コンピュータに、
年月日および時間のカレンダ処理を行う第１ステップと、
ユーザの操作に応答して前記サーバにアクセスし、前記サーバに記憶されるテレビ局で放映される日時、番組タイトル、放映チャンネルを含む番組情報およびキーワードを受信する第２ステップと、
年月日、アラーム設定時間、放映時間、番組情報およびキーワードを対応付けてスケジューラに記憶しており、前記第２ステップで受信した番組情報およびキーワードを前記スケジューラに組み込んで更新登録する第３ステップと、
ユーザの操作に応答して、キーワードの入力を受け付ける第４ステップと、
前記第３ステップで更新登録されたキーワードから入力キーワードを含む１以上の番組情報を検索する第５ステップと、
前記スケジューラに対して、前記第５ステップで得られた１以上の番組情報の放映される日時よりも前にアラーム時間を設定する第６ステップと、
前記第１ステップのカレンダ処理にしたがって前記第６ステップでアラーム登録された日時に報知する第７ステップと、
を実行させることを特徴とする番組開始通知プログラム。
【手続補正２】
【補正対象書類名】明細書
【補正対象項目名】全文
【補正方法】変更
【補正の内容】
【発明の詳細な説明】
【技術分野】
【０００１】
本発明は、たとえば、携帯端末、番組開始通知方法および番組通知プログラムに関するものである。
【背景技術】
【０００２】
データベース検索の一種として、テレビ番組のキーワード検索はすでに存在する（特許文献１）。また、今日、番組表は電子番組表（ＥＰＧ）として無線通信端末に提供することが可能となり、これによって外出先でも所望の番組情報を見つけ出すことが可能である（特許文献２）。
【０００３】
ユーザにおいては、必ずしも今番組情報を得ることが重要ではなく、テレビ番組の開始を知らせて欲しいというニーズもある。そこで、最近、無線携帯端末においてあらかじめ番組を登録しておくことで、メール配信端末より登録済みの番組開始をメールにて通知するシステムが提案されている（特許文献３）。
【０００４】
【特許文献１】特開平１０−２１５４１９号
【特許文献２】国際公開番号ＷＯ０１／０１９００２号
【特許文献３】特開２００２−１０８７７６号
【発明の開示】
【発明が解決しようとする課題】
【０００５】
上述した従来システム（特許文献３）のようにメールで番組の開始を知らせる場合には、電波の届く環境では有効に機能するが、地下や電波の届きにくい環境下では、メールの受信タイミングを逃した場合には、テレビ番組を見逃してしまうという危惧があった。さらに、ユーザに対してメール送信によって通知を行うため、サーバ側で登録ユーザすべてに対する通知管理が必要となり、サーバ側で膨大な処理負担を負うという問題があった。
【０００６】
本発明の目的は、携帯端末側で所望の番組開始を簡単に報知することが可能な携帯端末、番組開始通知方法および番組通知プログラムを提供する点にある。
【課題を解決するための手段】
【０００７】
上述した課題を解決し、上記目的を達成するため、請求項１の発明に係る携帯端末は、無線機能を有し、テレビ局で放映される日時、番組タイトル、放映チャンネルを含む番組情報およびキーワードを記憶するサーバとの間で通信可能な携帯端末であって、年月日および時間のカレンダ処理を行うカレンダ処理手段と、年月日、アラーム設定時間、放映時間、番組情報およびキーワードを対応付けて記憶するスケジューラと、ユーザの操作に応答して前記サーバにアクセスし、前記サーバに記憶されるテレビ局で放映される日時、番組タイトル、放映チャンネルを含む番組情報およびキーワードを受信する受信手段と、前記受信手段で受信した番組情報およびキーワードを前記スケジューラに組み込んで更新登録する更新登録手段と、ユーザの操作に応答して、キーワードの入力を受け付ける受け付け手段と、前記スケジューラに更新登録されたキーワードから前記受け付け手段の入力キーワードを含む１以上の番組情報を検索する検索手段と、前記スケジューラに対して、前記検索手段で得られた１以上の番組情報の放映される日時よりも前にアラーム時間を設定するアラーム登録手段と、前記カレンダ処理手段のカレンダ処理にしたがって前記アラーム登録手段でアラーム登録された日時に報知する報知手段と、を備えたことを特徴とするものである。
【０００８】
請求項２の発明は、請求項１において、前記報知手段は、音を用いて報知を行うようにしてもよい。
【０００９】
また、請求項３の発明は、請求項１において、前記報知手段は、振動を用いて報知を行うようにしてもよい。
【００１０】
請求項４の発明に係る番組開始通知方法は、無線機能を有し、テレビ局で放映される日時、番組タイトル、放映チャンネルを含む番組情報およびキーワードを記憶するサーバとの間で通信可能な携帯端末のコンピュータにより実行可能な番組開始通知方法であって、前記コンピュータに、年月日および時間のカレンダ処理を行う第１ステップと、ユーザの操作に応答して前記サーバにアクセスし、前記サーバに記憶されるテレビ局で放映される日時、番組タイトル、放映チャンネルを含む番組情報およびキーワードを受信する第２ステップと、年月日、アラーム設定時間、放映時間、番組情報およびキーワードを対応付けてスケジューラに記憶しており、前記第２ステップで受信した番組情報およびキーワードを前記スケジューラに組み込んで更新登録する第３ステップと、ユーザの操作に応答して、キーワードの入力を受け付ける第４ステップと、前記第３ステップで更新登録されたキーワードから入力キーワードを含む１以上の番組情報を検索する第５ステップと、前記スケジューラに対して、前記第５ステップで得られた１以上の番組情報の放映される日時よりも前にアラーム時間を設定する第６ステップと、前記第１ステップのカレンダ処理にしたがって前記第６ステップでアラーム登録された日時に報知する第７ステップと、を含んだことを特徴とするものである。
【００１１】
また、請求項５の発明に係る番組開始通知プログラムは、無線機能を有し、テレビ局で放映される日時、番組タイトル、放映チャンネルを含む番組情報およびキーワードを記憶するサーバとの間で通信可能な携帯端末のコンピュータにより実行可能な番組開始通知プログラムであって、前記コンピュータに、年月日および時間のカレンダ処理を行う第１ステップと、ユーザの操作に応答して前記サーバにアクセスし、前記サーバに記憶されるテレビ局で放映される日時、番組タイトル、放映チャンネルを含む番組情報およびキーワードを受信する第２ステップと、年月日、アラーム設定時間、放映時間、番組情報およびキーワードを対応付けてスケジューラに記憶しており、前記第２ステップで受信した番組情報およびキーワードを前記スケジューラに組み込んで更新登録する第３ステップと、ユーザの操作に応答して、キーワードの入力を受け付ける第４ステップと、前記第３ステップで更新登録されたキーワードから入力キーワードを含む１以上の番組情報を検索する第５ステップと、前記スケジューラに対して、前記第５ステップで得られた１以上の番組情報の放映される日時よりも前にアラーム時間を設定する第６ステップと、前記第１ステップのカレンダ処理にしたがって前記第６ステップでアラーム登録された日時に報知する第７ステップと、を実行させることを特徴とするものである。
【発明の効果】
【００１２】
本発明によれば、帯端末側で所望の番組開始を簡単に報知することが可能な携帯端末、番組開始通知方法および番組通知プログラムを提供できるという効果を奏する。
【発明を実施するための最良の形態】
【００１３】
以下、添付図面を参照して本発明に係る一実施の形態を詳述する。図1は本実施の形態によるネットワークシステムの一例を示す図、図２は本実施の形態によるサーバの一構成例を示すブロック図、図３および図４はサーバに記憶される情報を説明する図、図５は本実施の形態による携帯電話の一構成例を示すブロック図、そして、図６は本実施の形態による携帯電話に記憶される情報を説明する図である。
【００１４】
図１において、１は携帯電話、２はサーバ、３は放送局制御装置、４はインターネット、５は基地局、６は移動体通信網を示す。インターネット４には、移動体通信網６、サーバ２、放送局制御装置３が接続され、相互に通信可能である。携帯電話１は、移動体通信網６に接続される基地局５を介してインターネット４に接続可能である。携帯電話1は、ネットワークを介してサーバ２に接続し、テレビ番組の番組開始事前通知を要求することができる。７はテレビ装置である。
【００１５】
放送局制御装置３は、図示せぬがたとえばＥＰＧ（電子番組表）によるスケジュールデータベース（ＤＢ）３１を備えている。
【００１６】
携帯電話１は、たとえばサーバ２との間でＷＥＢ閲覧をすることが可能であり、サーバ２より提供されるページを表示するディスプレイ１１、たとえばディスプレイ１１に表示されるページに対する入力操作を行うためのキー群１２、たとえばサーバ２より提供されるページを表示するブラウザアプリ１３、テレビ装置に対して操作コマンドとなる赤外線を送出する赤外線送出部（図示せず）などを備えている。
【００１７】
サーバ２は、たとえば図１に示したように、ＷＥＢアプリケーション２１、マスタ情報記憶部２２、ユーザ情報記憶部２３などを備えている。マスタ情報記憶部２２には、サーバ２にたとえばＥＰＧの一部のデータが取り込まれることで、格納情報として、年月日および曜日、放送時間、番組内容、番組に関するキーワードが対応付けて記憶される。図４の例では、番組としてドラマ「あいうえお／１０ｃｈ」、放映年月日および曜日として２００４年4月１日（木）、放映時間として１６：００−１７：００、番組に関するキーワードとして「着信メロディ」と「渋谷」が対応付けて記憶されている。
【００１８】
ユーザ情報記憶部２３は、ユーザに対応させて携帯電話を特定するユーザ識別情報およびユーザの連絡先情報を記憶する。具体的には、図３に示したように、ユーザを特定するユーザＩＤに対応させてその氏名、電話番号、メールアドレス、その他（住所、口座番号など）が記憶される。図３の例では、ユーザＩＤ１に対して、氏名“たろう”が対応付けられ、さらに電話番号として０９０−１１１１−２２２２、メールアドレスとしてｔａｒｏ＠ａａａ．ｃｏ．ｊｐが対応付けられている。
【００１９】
本実施の形態では、携帯電話において、テレビ局で放映される日時、番組タイトル、放映チャンネルを含む番組情報を受信してスケジューラ１４に記憶しておき、番組情報から入力キーワードを含む番組情報を検索し、その検索で得られた番組情報の放映される日時よりも前にスケジュール登録しておき、カレンダ処理にしたがってスケジュール登録された日時よりも前に報知することができる。
【００２０】
つぎに、携帯電話1の構成について説明する。携帯電話１の例としての構成を、図５に、より詳細に示す。内部システムバス１０９に、通信処理部１０２、サウンド処理部１０５、ＣＰＵ１０６、ＲＯＭ１０７、ＲＡＭ１０８、ディスプレイ１１、キー群１２、赤外線送出部（図示せず）などを接続させ、データ、アドレス信号、制御信号などを伝送させることで各種の処理を実現する構成である。
【００２１】
通信処理部１０２は、アンテナ１０１に接続され、アンテナ１０１を介して移動体通信網６と通信を行うものである。この通信処理部１０２により、音声通話やサーバ２との通信を実現することができる。サウンド処理部１０５は、音声出力のためのスピーカ１５、音声入力のためのマイク１０４をそれぞれ接続させており、受話時や送話時の音声処理を行うものである。
【００２２】
ＣＰＵ１０６は、携帯電話１全体の制御をＲＯＭ１０７に格納されたＯＳにしたがって行うものである。ＲＯＭ１０７は、あらかじめインストールされているＯＳなどのプログラムを格納している。ＣＰＵ１０６は、携帯用の各種アプリケーション（たとえばＪＡＶＡ（登録商標）アプリケーション）により本実施の形態による処理などを制御する。また、このＣＰＵ１０６は、キー群１２からの入力を受け付けて各種の処理を実行させたり、各種の処理に応じてディスプレイ１１への表示を制御したりする。
【００２３】
ＲＡＭ１０８は、本実施の形態による通信を実現するためのブラウザアプリ１３のほか、スケジューラ１４、メーラーアプリ１６、カレンダアプリ１７、着信メロディなどのコンテンツや各種データを格納するワークエリア等を備えている。キー群１２は、電話番号、アドレスなどの入力を行ったり、後述するサービス選択実行時の入力を行ったりするための各種キーを備えている。ディスプレイ１１は、撮像画像を表示したり、操作用の案内画面を表示したり、電話やメールの機能を使うときの一般的な表示画面を表示したりするものである。
【００２４】
スケジューラ１４には、データとしてたとえば図６に示したように、年月日および曜日、放送時間、番組情報、番組に関するキーワードが対応付けて記憶される。図６の例では、番組としてドラマ「あいうえお／１０ｃｈ」、放映年月日および曜日として２００４年4月１日（木）、放映時間として１６：００−１７：００、番組に関するキーワードとして「着信メロディ」と「渋谷」が対応付けて記憶されている。また、番組としてドラマ「ａｂｃ／８ｃｈ」、放映年月日および曜日として２００４年4月１０日（土）、放映時間として２１：００−２３：００、番組に関するキーワードとして「着信メロディ」と「渋谷」が対応付けて記憶されている。これは、キーワードとして、ユーザが「着信メロディ」と「渋谷」を含む番組をサーチした結果を示している。
【００２５】
つぎに、図７、図８、図９、図１０および図１１を用いて動作について説明する。図７は本実施の形態による画面遷移の一例を説明する図、図８は本実施の形態による放送局制御装置とサーバ間の処理について説明するフローチャート、図９は本実施の形態による携帯端末とサーバ間の処理を説明するフローチャート、図１０は本実施の形態による番組検索手順を説明するフローチャート、そして、図１１は本実施の形態によるスケジューラ基づく事前通知を説明するフローチャートである。
【００２６】
まず、放送局制御装置３とサーバ２間では、サーバ２より放送局制御装置３に対して番組表の要求がなされ（ＳＶ１）、その要求に対して放送局制御装置３では更新の有無が確認される（ＢＳ１）。更新部分は、放送局制御装置３からサーバ２に対して送信され（ＢＳ２）、サーバ２において番組表が受信されると、マスタ情報記憶部２２に更新登録が行われる（ＳＶ２）。
【００２７】
つづいて、携帯電話１よりサーバ２にアクセスがなされると（ＭＢ１）、サーバ２ではそのアクセスに応じてユーザの確認が行われる（ＳＶ１１）。このとき、携帯電話よりユーザＩＤが送られると、ユーザ情報記憶部２３によりユーザの確認が可能となる。未登録のユーザであれば、あらたに会員登録するようにしてもよい。
【００２８】
ユーザの機種に応じて合致したＷＥＢページが生成されると、携帯電話１に送信される（ＳＶ１２）。携帯電話１では、ＷＥＢページが受信されると、そのページがディスプレイ１１に表示される（ＭＢ２）。その後、携帯電話１からサーバ２に対して番組表を要求することができる。この場合、携帯電話１では、入力操作を行うことで（ＭＢ３）、番組表がサーバ２に対して要求される（ＭＢ５）。サーバ２では、携帯電話１から番組表の要求が入ると、その要求を受け付けて更新部分が確認される（ＳＶ１３）。そして、更新部分が携帯電話１に対して送信される（ＳＶ１４）。携帯電話１では、サーバ２から送信されてきた番組表が受信されると、その番組表がスケジューラ１４に更新登録される（ＭＢ６）。
【００２９】
ユーザは、見たいテレビ番組があると、携帯電話１に対して放送前に事前通知をしてもらうための設定が必要となる。この場合、まずスケジューラ１４が起動され（ＭＢ１１）、たとえば図７（Ａ）のように、番組検索画面が表示される。具体的には、ジャンルの選択を行うための画面が表示される。そして、ユーザの操作により、ドラマ、スポーツ、ニュースなどからたとえばドラマのジャンル指定欄ＢＴ１が選択され、決定ボタンＢＴ３が操作されると（ＭＢ１２）、今度はたとえば図７（Ｂ）のように、キーワード入力画面が表示される。ここでは、キーワード入力欄ＫＷにキー群の操作でキーワードが入力される（ＭＢ１３）。
【００３０】
キーワードが入力され、決定ボタンＢＴ３が操作されると、その入力キーワードに基づいてスケジューラ１４の番組表が検索される（ＭＢ１４）。１つ以上のヒットがあるまでは（ＭＢ１５のＮＯルート）、キーワードの入力から処理は再実行される。１つ以上のヒットがあった場合には（ＭＢ１５のＹＥＳルート）、たとえば図７（C）のように、アラーム設定画面が表示され、登録指示が待たれる（MB１６）。
【００３１】
たとえば５分前に鳴らすように設定した場合には、さらに登録ボタンＢＴ４の操作によりスケジューラ１４に対して登録処理が実行される（ＭＢ１７）。
【００３２】
以降はカレンダ処理（ＭＢ２１）により日時が算出され、その結果がスケジューラ１４のアラーム設定（５分間の設定では、放送開始より５分前に登録される）の日時と比較される（ＭＢ２２）。その結果、合致が得られた場合には（ＭＢ２３のＹＥＳルート）、合致したアラーム設定対象の番組情報がスケジューラ１４から読み出され（ＭＢ２４）、ディスプレイ１１に表示されるとともに、アラームが起動される（ＭＢ２５）。
【００３３】
以上説明したように、本実施の形態によれば、帯端末側で所望の番組開始を簡単に報知することが可能である。
【産業上の利用可能性】
【００３４】
本発明は、携帯端末、番組開始通知方法および番組通知プログラムを製造する産業で利用される。
【図面の簡単な説明】
【００３５】
【図１】本実施の形態によるネットワークシステムの一例を示す図である。
【図２】本実施の形態によるサーバの一構成例を示すブロック図である。
【図３】サーバに記憶される情報を説明する図である。
【図４】サーバに記憶される情報を説明する図である。
【図５】本実施の形態による携帯電話の一構成例を示すブロック図である。
【図６】携帯電話に記憶される情報を説明する図である。
【図７】本実施の形態による画面遷移の一例を説明する図である。
【図８】本実施の形態による放送局制御装置とサーバ間の処理について説明するフローチャートである。
【図９】本実施の形態による携帯電話とサーバ間の処理について説明するフローチャートである。
【図１０】本実施の形態による携帯電話の動作について説明するフローチャートである。
【図１１】本実施の形態による携帯電話の動作について説明するフローチャートである。
【符号の説明】
【００３６】
１  携帯電話
２  サーバ
３  放送局制御装置
２２  マスタ情報記憶部
２３  ユーザ情報記憶部
３１  スケジュールＤＢ
【手続補正３】
【補正対象書類名】図面
【補正対象項目名】図１１
【補正方法】変更
【補正の内容】
【図１１】
2005333404.tif 000014